(57)【要約】【課題】  ランプ等の個数を可及的に減少させ、搭載基板や電気部品の実装における工数を削減し得るようにした遊技機を提供する。【解決手段】  パチンコ機１は、相互に対向する第１リフレクタ１２及び第２リフレクタ３７を有し、これら両リフレクタ１２，３７間にＬＥＤ２９が介在されて第１リフレクタ１２が回転するように構成されて、信頼度毎に異なる種々の大当たり予告動作を行う演出役物１０を有している。これにより、最小限の個数のＬＥＤ２９を両リフレクタ１２，３７間に介在するだけで、第１リフレクタ１２側に凹で且つ鏡面状の内面３７ｄを有する第２リフレクタ３７に対して第１リフレクタ１２を回転させ、演出役物１０の周囲に光を効率良く拡散させて演出効果を高めることができる。【選択図】      図２
2005253681.tif 000002
【特許請求の範囲】
【請求項１】
遊技機本体の遊技盤面部に遊技表示装置と始動チャッカーとを備えてなる遊技機において、
前記遊技機本体の上下方向の軸を中心として回転可能に支持された第１リフレクタと、前記遊技機本体の後方側にて前記第１リフレクタに対向する形で固定された第２リフレクタとを有し、前記第１リフレクタが、第１キャラクタを一体に有すると共に前記軸から離れる側に凸の外面、及び第２キャラクタを一体に有すると共に前記軸側に凹の内面を有し、且つこれら外面及び内面の少なくとも一方が鏡面をなし、前記第２リフレクタが、前記第１リフレクタ側に凹で且つ鏡面状の内面を有して、信頼度毎に異なる種々の大当たり予告動作を行う演出役物と、
前記第２リフレクタ側から前記第１リフレクタ側に光を照射する発光体と、
前記始動チャッカーへの入賞をトリガとして、前記演出役物に実行させるべき大当たり予告動作の選択及びその作動制御を行う遊技制御手段と、を具備し、
前記演出役物は、
前記遊技制御手段により選択された大当たり予告動作を行う際、前記発光体を発光させつつ前記軸を中心として前記第１リフレクタを回転させた後、選択された当該大当たり予告動作に対応する信頼度が最も高いとき前記第１キャラクタが前記遊技機本体前面を向くように前記第１リフレクタを停止させ、前記信頼度が最も低いとき前記第２キャラクタが前記遊技機本体前面を向くように前記第１リフレクタを停止させてなる、
ことを特徴とする遊技機。
【請求項２】
前記第１リフレクタは、前記軸を略々曲率中心とする半円筒状部材からなり、前記外面及び前記内面の少なくとも一方が凹凸状のカット面として形成されてなる、
ことを特徴とする請求項１に記載の遊技機。
【請求項３】
前記第２リフレクタは、前記第１リフレクタを受け入れるように拡がる三面鏡状に構成されると共に、前記内面が凹凸状のカット面として形成されてなる、
ことを特徴とする請求項１又は２に記載の遊技機。
【請求項４】
前記遊技制御手段は、前記信頼度が最高時と最低時との間にあっては、前記両キャラクタが前記遊技機本体前面から離反するように前記第１リフレクタを停止してなる、
ことを特徴とする請求項１ないし３のうち何れか１項に記載の遊技機。
【請求項５】
前記第１リフレクタ回転用のパルスモータを備え、
前記遊技制御手段は、前記パルスモータに単位時間当たりに与えるパルス数を調整して前記第１リフレクタの回転速度を前記信頼度の高低に応じて増減制御してなる、
ことを特徴とする請求項１ないし４のうち何れか１項に記載の遊技機。
【発明の詳細な説明】
【技術分野】
【０００１】
本発明は、パチンコ機等の遊技機に関し、詳しくは遊技中の大当たりへの期待感を与える演出装置をより簡単な構成で実現し得るようにした遊技機に関する。
【背景技術】
【０００２】
一般に、遊技機、例えばパチンコ機として、球受け皿に滞留している遊技球が、発射ハンドルの操作に応じて遊技盤上に打ち出された後、遊技盤面上の障害釘や風車等に導かれつつ盤面を流下して、各種入賞口に入球し、或いは入球せずに遊技盤下部のアウト口に流入するように構成されたものが知られている（例えば、特許文献１参照）。
【０００３】
このようなパチンコ機では、一般入賞口に入球した際にそれに対応した個数の遊技球が払い出され、またスタートチャッカーに入球した際にはこれに基づいて大当たり抽選が行われると共に所定数の遊技球が払い出され、当該抽選の結果に応じて、遊技盤の中央部分に設けられた液晶等からなる特別図柄表示画面上で所定の演出表示が行われる。大当たりの発生時には、アタッカーと呼ばれる大入賞口が開放し、入球に対応して多量の遊技球が払い出される状態となる。
【０００４】
ところで、上述のような従来のパチンコ機において、遊技盤面部に搭載される遊技部品に光源を内蔵することによって演出効果を高め、遊技者の遊技に対する期待感を高めるように構成した遊技機が提案されている（例えば、特許文献２参照）。
【０００５】
【特許文献１】特開２００３−２３６２１０号公報
【特許文献２】特開平０５−３０９１５９号公報
【発明の開示】
【発明が解決しようとする課題】
【０００６】
上記特許文献２に記載の遊技機では、上記光源として多数のランプや発光ダイオード（ＬＥＤ）を使用しているため、遊技機本体に搭載する基板や電気部品の実装において工数が増大したり、部品単価が高くなったりする不都合を生じる虞があった。
【０００７】
そこで本発明は、相互に対向する特殊形状の回転側と固定側のリフレクタを設け、これらリフレクタ間に発光体を介在して回転側のリフレクタを回転させるように構成し、もって上述した課題を解決した遊技機を提供することを目的とするものである。
【課題を解決するための手段】
【０００８】
請求項１に係る本発明は（例えば図１ないし図７参照）、遊技機本体（２，３）の遊技盤面部（７）に遊技表示装置（２１）と始動チャッカー（５０）とを備えてなる遊技機（１）において、
前記遊技機本体（２，３）の上下方向の軸（ａ）を中心として回転可能に支持された第１リフレクタ（１２）と、前記遊技機本体（２，３）の後方側にて前記第１リフレクタ（１２）に対向する形で固定された第２リフレクタ（３７）とを有し、前記第１リフレクタ（１２）が、第１キャラクタ（２５）を一体に有すると共に前記軸（ａ）から離れる側に凸の外面（１２ａ）、及び第２キャラクタ（２６）を一体に有すると共に前記軸（ａ）側に凹の内面（１２ｂ）を有し、且つこれら外面（１２ａ）及び内面（１２ｂ）の少なくとも一方が鏡面をなし、前記第２リフレクタ（３７）が、前記第１リフレクタ（１２）側に凹で且つ鏡面状の内面（３７ｄ）を有して、信頼度毎に異なる種々の大当たり予告動作を行う演出役物（１０）と、
前記第２リフレクタ（３７）側から前記第１リフレクタ（１２）側に光を照射する発光体（２９）と、
前記始動チャッカー（５０）への入賞をトリガとして、前記演出役物（１０）に実行させるべき大当たり予告動作の選択及びその作動制御を行う遊技制御手段（３４〜３６）と、を具備し、
前記演出役物（１０）は、
前記遊技制御手段（３４〜３６）により選択された大当たり予告動作を行う際、前記発光体（２９）を発光させつつ前記軸（ａ）を中心として前記第１リフレクタ（１２）を回転させた後、選択された当該大当たり予告動作に対応する信頼度が最も高いとき前記第１キャラクタ（２５）が前記遊技機本体前面を向くように前記第１リフレクタ（１２）を停止させ、前記信頼度が最も低いとき前記第２キャラクタ（２６）が前記遊技機本体前面を向くように前記第１リフレクタ（１２）を停止させてなる、
ことを特徴とする遊技機（１）にある。
【０００９】
請求項２に係る本発明は（例えば図２、及び図４〜図７参照）、前記第１リフレクタ（１２）が、前記軸（ａ）を略々曲率中心とする半円筒状部材からなり、前記外面（１２ａ）及び前記内面（１２ｂ）の少なくとも一方が凹凸状のカット面として形成されてなる、
ことを特徴とする請求項１に記載の遊技機（１）にある。
【００１０】
なお、本発明における上記「半円筒状」は、円筒を縦方向（軸に沿った方向）で半分に切断した際の形状を示す概念である。
【００１１】
請求項３に係る本発明（例えば図４〜図７参照）は、前記第２リフレクタ（３７）が、前記第１リフレクタ（１２）を受け入れるように拡がる三面鏡状に構成されると共に、前記内面（３７ｄ）が凹凸状のカット面として形成されてなる、
ことを特徴とする請求項１又は２に記載の遊技機（１）にある。
【００１２】
請求項４に係る本発明（例えば図５及び図７参照）は、前記遊技制御手段（３４〜３６）が、前記信頼度が最高時と最低時との間にあっては、前記両キャラクタ（２５，２６）が前記遊技機本体前面から離反するように前記第１リフレクタ（１２）を停止してなる、
ことを特徴とする請求項１ないし３のうち何れか１項に記載の遊技機（１）にある。
【００１３】
請求項５に係る本発明（例えば図２及び図３参照）は、前記第１リフレクタ（１２）回転用のパルスモータ（１７）を備え、
前記遊技制御手段（３４〜３６）は、前記パルスモータ（１７）に単位時間当たりに与えるパルス数を調整して前記第１リフレクタ（１２）の回転速度を前記信頼度の高低に応じて増減制御してなる、
ことを特徴とする請求項１ないし４のうち何れか１項に記載の遊技機（１）にある。
【００１４】
なお、上記カッコ内の符号は、図面と対照するためのものであるが、これは、発明の理解を容易にするための便宜的なものであり、特許請求の範囲の構成に何等影響を及ぼすものではない。
【発明の効果】
【００１５】
請求項１に係る本発明によると、相互に対向する第１リフレクタ及び第２リフレクタを備え、これら両リフレクタ間に発光体が介在されて第１リフレクタが回転するように構成されて、信頼度毎に異なる種々の大当たり予告動作を行う演出役物を備えるので、最小限の個数の発光体を両リフレクタ間に介在するだけで、第１リフレクタ側に凹で且つ鏡面状の内面を有する第２リフレクタに対して第１リフレクタを回転させることで演出役物の周囲に光を効率良く拡散させて演出効果を高めることができ、従って、光源としてのランプ等の個数を可及的に減少させ、搭載基板や電気部品の実装における工数を削減し、部品単価の可及的な低減を図ることが可能になる。また演出役物が、大当たり予告動作を行う際、発光体を発光させつつ軸を中心に回転開始した後、大当たり予告動作に対応する信頼度が最も高いとき第１キャラクタが遊技機本体前面を向くように第１リフレクタを停止させ、信頼度が最も低いとき第２キャラクタが遊技機本体前面を向くように第１リフレクタを停止させるので、遊技盤面部の狭いスペースを有効に活用しながら、大当たりの信頼度の高低（即ち、チャンス時と非チャンス時）を遊技者に、より明確に理解できるように示すことができる。
【００１６】
請求項２に係る本発明によると、第１リフレクタは軸を略々曲率中心とする半円筒状部材からなり、外面及び内面の少なくとも一方が凹凸状のカット面として形成されるので、少量の光源を有効活用させることができると共に、光源を点滅させることなくキャラクタ背景の明暗を良好に表現することができる。
【００１７】
請求項３に係る本発明によると、第２リフレクタが、第１リフレクタを受け入れるように拡がる三面鏡状に構成されると共に、内面が凹凸状のカット面として形成されるので、少量の光源をより有効に活用できると共に、光源を点滅させることなくキャラクタ背景の明暗をより良好に表現することができる。
【００１８】
請求項４に係る本発明によると、遊技制御手段が、信頼度が最高時と最低時との間にあっては、両キャラクタが遊技機本体前面から離反するように第１リフレクタを停止するので、信頼度最高のとき第１キャラクタが前面を向くように第１リフレクタを停止させ、信頼度最低のとき第２キャラクタが前面を向くように第１リフレクタを停止させ、それ以外の信頼度のときには両キャラクタが遊技機本体前面から離反するように第１リフレクタを停止させることにより、大当たり予告の信頼度の遊技者に対する表現を多彩にすることができる。
【００１９】
請求項５に係る本発明によると、遊技制御手段がパルスモータに単位時間当たりに与えるパルス数を調整して第１リフレクタの回転速度を信頼度の高低に応じて増減制御するので、第１リフレクタの停止角度に応じた信頼度の高低表現に、第１リフレクタが停止するまでの回転速度の高低変化を加えることにより、大当たり予告の信頼度表現を、更に多彩化させることができる。
【発明を実施するための最良の形態】
【００２０】
以下、本発明に係る遊技機の実施形態として、遊技場等に設置されるパチンコ機を図１ないし図７に沿って説明する。
【００２１】
なお、図１は本発明の実施形態におけるパチンコ機の外部構造を示す正面図、図２は本実施形態における演出役物を拡大して示す側面図、図３は本パチンコ機の制御系を示すブロック図、図４は信頼度が最高のときの演出役物の停止状態を示す平面図、図５は信頼度が最高時と最低時の間のときの演出役物の停止状態を示す平面図、図６は信頼度が最低のときの演出役物の停止状態を示す平面図、図７は信頼度が最高時と最低時の間のときの演出役物の停止状態を示す平面図である。
【００２２】
本パチンコ機１は、後述の発射ハンドル９の操作による発射装置（図示せず）の作動で遊技球を遊技盤面部７に打ち出しつつ遊技を行うもので、いわゆる確率変動等の大当たりが発生した状態で不図示のアタッカー（大入賞口）に入球した遊技球に対応する数の遊技球を払い出すように構成されている。上記確率変動（確変当たり）とは、抽選の結果、確変モードの大当たりが当選したとき、少なくとも当該確変モードによる遊技状態において次なる大当たりを引くまでの間、遊技者に有利な付加価値を付与し得る特殊状態を意味する。これに対し、当該特殊状態にならない大当たりとして「通常当たり」がある。
【００２３】
図１に示すように、本パチンコ機１は、筐体２と、筐体２に開閉可能に装着された前扉３とを有しており、前扉３の前面には、透明ガラス６を有するガラス枠５が開閉可能に取付けられており、透明ガラス６の奥側には遊技盤面部７が配置されている。前扉３における遊技盤面部７の左右及び上部には演出用照明装置２３が配置されており、前扉３における上部左右及び下部には夫々、スピーカ（図示せず）を有する放音装置８が配置されている。また、ガラス枠５における中央部右方には、前扉３を筐体２側に施錠又は解放するための施錠装置４が配置されている。なお、上記筐体２及び前扉３によって遊技機本体が構成されている。
【００２４】
前扉３における下部中央には皿ユニット１３が設けられており、皿ユニット１３における右上部には、賞球及び貸球を含む遊技球が供給される球供給口１８が設けられ、皿ユニット１３における左上部壁面には、球貸ボタン１４ａ及びプリペイドカード返却ボタン１４ｂが設けられている。皿ユニット１３の中央部には、該皿ユニット１３上の遊技球を発射装置付近から皿ユニット下部の球排出口（図示せず）を通して下方に排出するための第１球抜きボタン２２ａと、皿ユニット１３上の遊技球を球供給口１８付近から上記球排出口を通して下方に排出するための第２球抜きボタン２２ｂとが配置されている。また、前扉３における皿ユニット１３の右側下方には、上記球発射装置を操作して遊技球を遊技盤面部７に向けて打ち出すための発射ハンドル９が設けられている。更に、皿ユニット１３の下部左方には、灰皿２４が配置されている。
【００２５】
上記遊技盤面部７の中央部分には液晶表示装置（遊技表示装置）２１が配置され、この液晶表示装置２１の上方の枠部２１ａ上には演出役物１０が配置され、液晶表示装置２１の下方には始動チャッカー５０が配置されている。なお、実際は、液晶表示装置２１の周囲にはセンター飾りが配置され、該センター飾りにおける始動チャッカー５０の上方には、当該センター飾り内にワープ入球口（図示せず）から導入される遊技球や導釘（図示せず）で弾き返されて導入される遊技球を始動チャッカー５０に導くように作用するステージが位置しているが、便宜上、これらセンター飾り及びステージは図示を省略している。
【００２６】
上記演出役物１０は、信頼度毎に異なる種々の大当たり予告動作を行うものであり、図１、図２及び図４に示すように、遊技機本体の上下方向の軸ａを中心として回転可能に遊技機本体側に支持された第１リフレクタ１２と、遊技機本体後方側にて第１リフレクタ１２に対向する形で遊技機本体側に固定された第２リフレクタ３７とを有している。
【００２７】
上記演出役物１０にあっては、第１リフレクタ１２が、第１キャラクタ２５を一体に有すると共に軸ａから離れる側に凸の外面１２ａ、及び第２キャラクタ２６を一体に有すると共に軸ａ側に凹の内面１２ｂを有し、且つこれら外面１２ａ及び内面１２ｂの双方が鏡面をなし、第２リフレクタ３７が、第１リフレクタ１２側に凹で且つ鏡面状の内面３７ｄを有している。これら外面１２ａ及び内面１２ｂの何れか一方のみを鏡面状にする構成とすることもできる。ここで言う「鏡面状」とは、平坦状のミラーを意味するのではなく、凹凸の有無に拘らず光反射可能な面を持つという意味である。また、第２リフレクタ３７側から第１リフレクタ１２側に光を照射する発光体としての発光ダイオード（ＬＥＤ）２９が配置されている。
【００２８】
第１リフレクタ１２は、軸ａを略々曲率中心とする半円筒状部材からなり、外面１２ａ及び内面１２ｂの双方が凹凸状のカット面として形成されている。なお、外面１２ａ及び内面１２ｂの何れか一方のみを凹凸状のカット面にする構成とすることも可能である。
【００２９】
第２リフレクタ３７は、第１リフレクタ１２を受け入れるように拡がる三面鏡状に構成されると共に、内面３７ｄに、凹凸状のカット面３９が形成されている。即ち、第２リフレクタ３７は、図４に示す平面視において、中央部の表面平面状の鏡面３７ａと、この鏡面３７ａの左右にて第１リフレクタ１２を受け入れるように拡がる鏡面３７ｂ，３７ｃを有しており、これら鏡面３７ｂ，３７ｃの内面に上記カット面３９が形成されている。なお、鏡面３７ａの内面は平坦状のミラーとして、また鏡面３７ｂ，３７ｃの内面３９は凹凸状のミラーとして構成されている。
【００３０】
上記鏡面３７ａは、縦方向に所定寸法を有する板状に形成されており、縦横方向に４列ずつがマトリックス状に貫通穿設された１６個の光照射孔３８を有している。本実施形態では、マトリックス状の光照射孔３８を、縦横方向に４列ずつ形成したものとして説明するが、光照射孔３８は、これに限らず、４列ずつより少なく、或いは多く形成されても良いことは勿論である。
【００３１】
上記鏡面３７ａの背面側には基板２７が立設配置されており、この基板２７には、上記マトリックス状に配列された光照射孔３８に対応する数のＬＥＤ２９が実装されている。そして、当該基板２７は、不図示の配線を介して、後述するサブ基板３１側に電気的に接続されている。
【００３２】
なお、本実施形態において上記演出役物１０は、図４の時計回り方向に回転するように作動制御される。また、本実施形態における上記「半円筒状」は、円筒を縦方向（軸に沿った方向）で半分に切断した際の形状を示す概念である。
【００３３】
また、図２に示すように、液晶表示装置２１の枠部２１ａ上には円形台座１１が設けられている。この円形台座１１上には、上記第１リフレクタ１２が、外面１２ａ及び内面１２ｂを軸ａと交差する方向の一方側及び他方側に夫々向けた形で下部を固定されている。そして、円形台座１１の外周縁下部には、フェースギヤ２０が該円形台座１１と同軸状に固定されている。遊技機本体側には、第１リフレクタ１２回転用のパルスモータ１７が固定されており、このパルスモータ１７の回転軸１７ａに固定されたピニオンギヤ１９が、上記フェースギヤ２０に噛合している。
【００３４】
そして、上記フェースギヤ２０及び円形台座１１は、枠部２１ａに対して一体的に回転自在となるように支持されている。従って、パルスモータ１７が、後述する演出制御手段３６から発信される作動信号に応答して回転駆動した際、その回転はピニオンギヤ１９及びフェースギヤ２０を介して円形台座１１及び第１リフレクタ１２に伝達される。
【００３５】
また演出役物１０は、後述する演出選択手段３４によって選択された大当たり予告動作を行う際、当該予告動作に対応する演出信号が演出信号出力手段３５から発信され、これに従って演出制御手段３６から発せられた作動信号に応答して、ＬＥＤ２９を発光させつつ軸ａを中心として第１リフレクタ１２を回転させた後、選択された当該大当たり予告動作に対応する信頼度が最も高いとき第１キャラクタ２５が遊技機本体前面を向くように第１リフレクタ１２を停止させ（図４参照）、また信頼度が最も低いとき第２キャラクタ２６が遊技機本体前面を向くように第１リフレクタ１２を停止（図６参照）させるように作動させられる。
【００３６】
次に、本実施形態におけるパチンコ機１の制御系を図３に沿って説明する。すなわち、本制御系は、主基板（主制御基板）３０と、この主基板３０に接続されたサブ基板（サブ制御基板）３１とを有しており、該サブ基板３１には、放音装置８、演出用照明装置２３、液晶表示装置２１、ＬＥＤ２９、及びパルスモータ１７が接続されている。
【００３７】
上記主基板３０は、本パチンコ機１の動作全体を管理するものであり、当該パチンコ機１の動作全体を管理するシステムプログラム及び遊技用の実行プログラムが予め記憶された半導体メモリ等からなる記憶部（図示せず）と、これらのプログラムを実行するマイクロプロセッサ（ＭＰＵ）とを備えている。そして主基板３０は、入賞判定手段３２と、入賞信号出力手段３３とを備えている。
【００３８】
入賞判定手段３２は、発射ハンドル９の操作で作動する発射装置（図示せず）によって遊技盤面部７に打ち出された遊技球が始動チャッカー５０に入賞（入球）したとき、始動チャッカー５０への入賞と判定する。
【００３９】
入賞信号出力手段３３は、入賞判定手段３２によって始動チャッカー５０への入賞が判定されたとき、入賞信号を出力する。
【００４０】
上記サブ基板３１は、主基板３０中の上記マイクロプロセッサから供給される演出制御信号に従って、実装された電気回路からなる適宜の手段が放音装置８、演出用照明装置２３や液晶表示装置２１を適時駆動して、遊技者の視覚及び聴覚に訴えるべく、通常時演出や大当たり時における特別演出を音や光等によって行うように機能する。サブ基板３１はまた、演出選択手段３４、演出信号出力手段３５、及び演出制御手段３６を備え、これらの手段３４〜３５によりＬＥＤ２９、放音装置８及びパルスモータ１７を制御して大当たり予告動作を行うように機能する。
【００４１】
演出選択手段３４は、入賞信号出力手段３３から出力された入賞信号を受けたとき、不図示のテーブルに予め準備された複数の演出パターンの内からの選択を行う。なお、当該選択では、必ずしも演出パターンの何れかが選択されるとは限らず、何れの演出パターンも選択されないことがあり、その場合には演出役物１０の演出は行われないこととなる。
【００４２】
また、上記演出パターンは、遊技者の大当たりへの期待感を高めて遊技性を向上させるべく、ＬＥＤ２９の異なる発光状態（点灯、光の強弱）と、放音装置８の異なる放音状態（連続鳴動、断続鳴動、音の強弱）と、パルスモータ１７による第１リフレクタ１２の回転速度及び停止状態（停止角度）とを種々組み合わせた複数のパターンとして構成されている。
【００４３】
演出信号出力手段３５は、演出選択手段３４によって選択された演出パターンに対応する演出信号を出力する。
【００４４】
演出制御手段３６は、入力した演出信号に基づき、選択された演出パターンに予め設定された状態となるように、ＬＥＤ２９を発光させ、放音装置８を放音作動させ、パルスモータ１７を回転させて第１リフレクタ１２を所定方向に所要速度で駆動した後、所定の状態（角度）で停止させる。つまり、演出制御手段３６は、選択された演出パターンに従って、ＬＥＤ２９及び放音装置８への駆動信号を制御すると共に、パルスモータ１７に１秒間当たりに与えるパルス数を調整してリフレクタ１２の回転速度を信頼度の高低に応じて増減制御した後、当該演出パターンに設定された角度で第１リフレクタ１２が止まるようにパルスモータ１７を制御する。
【００４５】
具体的には、演出制御手段３６は、演出選択手段３４により選択された演出パターンに沿った大当たり予告動作を行う場合、ＬＥＤ２９を発光させつつ軸ａを中心として第１リフレクタ１２を回転させた後、選択された当該大当たり予告動作に対応する信頼度が最も高いとき第１キャラクタ２５が遊技機本体前面を向くように第１リフレクタ１２を停止させ、また信頼度が最も低いとき第２キャラクタ２６が遊技機本体前面を向くように第１リフレクタ１２を停止させるように制御するのである。演出制御手段３６はまた、選択された演出パターンにおいての信頼度が最高時と最低時との間にある場合に、両キャラクタ２５，２６が遊技機本体前面から離反（図５及び図７参照）するように第１リフレクタ１２を停止させる制御を行う。
【００４６】
なお、上記演出選択手段３４、演出信号出力手段３５及び演出制御手段３６によって、始動チャッカー５０への入賞（入球）をトリガとして、演出役物１０に実行させるべき大当たり予告動作の選択及びその作動制御を行う遊技制御手段が構成されている。
【００４７】
ついで、本パチンコ機１による作用について説明する。すなわち、本パチンコ機１に対して着座した遊技者が発射ハンドル９を握り、適宜の角度に回動操作すると、不図示の発射装置の作動によって遊技球が所定の間隔で遊技盤面部７に向けて連続的に発射される。そして、遊技盤面部７に打ち出された遊技球が、不図示のステージを経由し、或いは直接的に始動チャッカー５０に入球すると、主基板３０に備えた入賞判定手段３２が入賞と判定し、これに従って入賞信号出力手段３３が入賞信号を出力する。
【００４８】
そして、上記入賞信号を入力した演出選択手段３４が、テーブル（図示せず）に予め準備した複数の演出パターンからの選択を実行する。その結果、例えば何れかの演出パターンが選択された場合、サブ基板３１の電気回路からなる適宜手段による制御で液晶表示装置２１が図柄の変動演出を開始すると共に、演出信号出力手段３５が、選択された演出パターンに対応する演出信号を出力し、これに応答して演出制御手段３６が、選択演出パターンに応じてＬＥＤ２９を発光させ、放音装置８を放音作動させ、パルスモータ１７を回転させて第１リフレクタ１２を所定方向に所要速度で駆動させる。この際、回転開始する直前の第１リフレクタ１２は、図４に示すように、外面１２ａ側のキャラクタ２５を遊技者側に向けた状態にされて、意匠性が高められている。そして、演出制御手段３６は、第１リフレクタ１２を所定時間回転させた後、選択演出パターンに対応した所定の角度で停止させる。
【００４９】
上記選択されたパターンの演出が開始されたとき、遊技者は、ＬＥＤ２９の発光開始と第１リフレクタ１２の回転開始とを認識した瞬間、大当たりするかもしれないという期待感を抱き、第１リフレクタ１２の回転速度が早い場合には当該期待感を更に膨らませつつ、演出役物１０による演出に注目することとなる。そして、第１リフレクタ１２が、例えば図４に示すようにキャラクタ２５を遊技者側に向けた状態で停止したとき、遊技者は、信頼度が最高と認識し、液晶表示装置２１での図柄変動が大当たりの状態で停止することを期待しながら注視する。この場合、鏡面３７ａ側から照射されるＬＥＤ２９の光の多くは、図４中の破線Ｌ１で示すように鏡面３７ｂ，３７ｃの内面３７ｄで反射した後、第１リフレクタ１２の外面１２ａで反射して遊技機本体前方に導かれるため、第１キャラクタ２５が遊技者側に明るく表示される。そしてこの際、始動チャッカー５０への入賞時に主基板３０にて別途行われた大当たり抽選で大当たりに当選していれば、遊技者の期待通り大当たりすることとなる。
【００５０】
一方、第１リフレクタ１２が、例えば図６に示すように凹面鏡１２ｂ側を遊技者側に向けた状態で停止したとき、遊技者は、信頼度が最低と認識しつつ、液晶表示装置２１での図柄変動を見ながら遊技を続けることになる。この場合、鏡面３７ａ側から照射されるＬＥＤ２９の光の多くは、図６中の破線Ｌ２で示すように第１キャラクタ２５の外面１２ａで反射して遊技機本体側方に導かれるため、第２キャラクタ２６が遊技者側に暗く表示されることになる。そしてこの場合においても、始動チャッカー５０への入賞時に主基板３０にて別途行われた抽選で大当たりに当選していれば、信頼度最低との告知にも拘わらず結果は大当たりとなって、遊技者に一層大きな喜びを与えることとなる。
【００５１】
また、図５及び図７に示すように、両キャラクタ２５，２６を遊技機本体前面から離反させるように第１リフレクタ１２が停止した場合、遊技者は、信頼度が最高と最低の中間であると認識しつつ、液晶表示装置２１での図柄変動を見ながら遊技を続けることになる。これにより、大当たり予告の信頼度の遊技者に対する表現が多彩化される。
【００５２】
したがって、以上の本実施形態におけるパチンコ機１によると、相互に対向する第１リフレクタ１２及び第２リフレクタ３７を備え、これら両リフレクタ１２，３７間にＬＥＤ２９が介在されて第１リフレクタ１２が回転するように構成されて、信頼度毎に異なる種々の大当たり予告動作を行う演出役物１０を備えるので、最小限の個数のＬＥＤ２９を両リフレクタ２１，３７間に介在するだけで、第１リフレクタ１２側に凹で且つ鏡面状の内面３７ｄを有する第２リフレクタ３７に対して第１リフレクタ１２を回転させることで演出役物１０の周囲に光を効率良く拡散させて演出効果を高めることができる。
【００５３】
従って、光源としてのランプ等の個数を可及的に減少させ、搭載基板や電気部品の実装における工数を削減し、部品単価の可及的な低減を図ることが可能になる。また演出役物１０が、大当たり予告動作を行う際、ＬＥＤ２９を発光させつつ軸ａを中心に回転開始した後、大当たり予告動作に対応する信頼度が最も高いとき第１キャラクタ２５が遊技機本体前面を向くように第１リフレクタ１２を停止させ、信頼度が最も低いとき第２キャラクタ２６が遊技機本体前面を向くように第１リフレクタ１２を停止させるので、遊技盤面部７の狭いスペースを有効に活用しながら、大当たりの信頼度の高低（即ち、チャンス時と非チャンス時）を遊技者に、より明確に理解できるように示すことができる。
【００５４】
また、遊技制御手段としての演出選択手段３４、演出信号出力手段３５及び演出制御手段３６が、第１リフレクタ１２回転用のパルスモータ１７に１秒間当たりに与えるパルス数を調整して当該リフレクタ１２の回転速度を信頼度高低に応じて増減制御するので、第１リフレクタ１２の停止角度に応じた信頼度の高低表現に、第１リフレクタ１２が停止するまでの回転速度の高低変化を加えることにより、大当たり予告の信頼度表現が更に多彩化される。
【００５５】
なお、本実施の形態では、第１リフレクタ１２が第１キャラクタ２５を前面に向けるように停止したとき信頼度が最高となる旨の説明をしたが、例えば、当該停止状態のときを大当たり１００％（大当たり確定）の表示となるように構成することも可能である。
【００５６】
以上、本発明をその好適な実施の形態に基づいて説明したが、本発明の遊技機は、上記実施形態の構成にのみ限定されるものではなく、上記実施形態の構成から種々の修正及び変更を施した遊技機も、本発明の範囲に含まれる。
【図面の簡単な説明】
【００５７】
【図１】本発明の実施形態におけるパチンコ機の外部構造を示す正面図である。
【図２】本実施形態における演出役物を拡大して示す側面図である。
【図３】本パチンコ機の制御系を示すブロック図である。
【図４】信頼度が最高のときの演出役物の停止状態を示す平面図である。
【図５】信頼度が最高時と最低時の間のときの演出役物の停止状態を示す平面図である。
【図６】信頼度が最低のときの演出役物の停止状態を示す平面図である。
【図７】信頼度が最高時と最低時の間のときの演出役物の停止状態を示す平面図である。
【符号の説明】
【００５８】
１…パチンコ機（遊技機）
２…筐体
３…前扉
７…遊技盤面部
１０…演出役物
１２…第１リフレクタ
１２ａ…外面
１２ｂ…内面
１７…パルスモータ
２１…液晶表示装置（遊技表示装置）
２５…第１キャラクタ
２６…第２キャラクタ
２９…ＬＥＤ（発光体）
３４…演出選択手段
３５…演出信号出力手段
３６…演出制御手段
３７…第２リフレクタ
３７ｄ…内面
３９…凹凸状のカット面
５０…始動チャッカー
ａ…軸
【図１】
2005253681.tif 000003
【図２】
2005253681.tif 000004
【図３】
2005253681.tif 000005
【図４】
2005253681.tif 000006
【図５】
2005253681.tif 000007
【図６】
2005253681.tif 000008
【図７】
2005253681.tif 000009